(57)【要約】【課題】包丁や拳銃その他の証拠品を汚染することなく収納して保管及び移送する証拠品収納保管箱を提供する。【解決手段】ピュアパルプ製の紙材で構成され、四角形断面の筒状本体と、当該本体の下端を閉塞する底壁部と、前記本体の上端を開閉する開閉蓋部とを有し、扁平状に折り畳み可能に形成した組立式収納箱と、ピュアパルプ製の紙材で構成され、前記収納箱の前記本体内に中仕切状に配置して設け、証拠品を支持する所望数の支持用パネルとを備える。前記収納箱は、扁平状に折り畳んだ状態で各支持用パネルと一緒にビニールその他のプラスチック袋内に封入すると共にγ線の照射等により滅菌処理されている。所要時に前記袋を開封して前記収納保管箱を袋から取り出し、前記収納箱を組み立て使用する。【選択図】図１
0003214440.tif 000002
【実用新案登録請求の範囲】
【請求項１】
包丁や拳銃その他の証拠品を収納して保管及び移送するための、使い捨ての証拠品収納保管箱であって、
ピュアパルプ製の紙材で構成され、前後に対向する前壁及び後壁と、左右に対向する一対の側壁とを有する四角形断面の筒状本体と、当該本体の下端を閉塞する底壁部と、前記本体の上端を開閉する開閉蓋部とを有し、扁平状に折り畳み可能に形成した組立式収納箱と、
ピュアパルプ製の紙材で構成され、前記収納保管箱を使用する際に、前記組立式収納箱の前記本体内に中仕切状に配置して設け、前記証拠品を支持する少なくとも２つの支持用パネルとを備え、
前記組立式収納箱は、扁平状に折り畳んだ状態で前記支持用パネルと一緒にビニールその他のプラスチック袋内に封入されていると共にγ線の照射その他の滅菌手段で滅菌処理されている
ことを特徴とする証拠品収納保管箱。
【請求項２】
前記組立式収納箱は一枚のピュアパルプ製の紙材で構成され、
前記底壁部は、前記前壁の下縁から折り線を介して連設した底壁片と、前記後壁の下縁から折り線を介して連設した底壁片と、前記一対の側壁のうち、一方の側壁の下縁から折り線を介して連設され、前記両底壁片のうち、一方の底壁片の側端部に接着される連結片と、他方の前記側壁の下縁から折り線を介して連設され、他方の前記底壁片の側端部に接着される連結片とを含んで構成され、
前記開閉蓋部は、前記前壁の上縁から折り線を介して連設した蓋片と、前記後壁の上縁から折り線を介して連設した蓋片とを含んで構成されていることを特徴とする請求項１に記載の証拠品収納保管箱。
【請求項３】
ピュアパルプ製の紙材で構成され、前記組立式収納箱の前記本体内の底部に敷設する中敷き用パネルをさらに備え、
前記中敷き用パネルは、前記組立式収納箱及び前記各支持用パネルと一緒に前記プラスチック袋内に封入されていると共に前記滅菌手段で滅菌処理されていることを特徴とする請求項１又は２に記載の証拠品収納保管箱。
【請求項４】
前記一方の蓋片の端縁から折り線を介して連設した提げ手片と、前記他方の蓋片の端縁から折り線を介して連設した提げ手片とを有し、前記両提げ手片同士を合掌させるように重合して形成される提手部と、
前記一対の側壁の上縁からそれぞれ折り線を介して連設され、前記両提げ手片同士を合重させた状態で前記両提げ手片の両端部側の上端部に設けた係合切欠部に係合させて前記両提げ手片同士の重合状態を解除自在に係止して保持させる係止用突片をさらに備えていることを特徴とする請求項１又は２に記載の証拠品収納保管箱。
【考案の詳細な説明】
【技術分野】
【０００１】
本考案は、証拠品収納保管箱に関する。さらに詳しくは、例えば殺人や傷害事件その他の犯罪事件において、犯行現場やその他の場所から採取した包丁やナイフ、或いは拳銃その他の各種の証拠品（証拠物品）を収納して保管及び移送するために使用する証拠品収納保管箱に関する。
【背景技術】
【０００２】
従来、証拠物品を収納する収納箱や収納器として、例えば実用新案登録第３１５４６６３号公報には、硬質プラスチックで構成したもの（先行技術１）と、段ボールで構成したもの（先行技術２）が開示されている（特許文献１参照）。
【０００３】
前記先行技術１の証拠物収納器は、開閉蓋を有する箱状のケースと、このケース内に設ける複数枚の支持板とを備え、前記開閉蓋及びケースは透明のアクリル樹脂で構成されている。前記ケースの正面壁及び背面壁の内壁には、多数の溝部が等間隔で設けられている。前記各支持板は両端を前記溝部に着脱自在に嵌合して、ケース内に設けるように形成されている。そして、証拠物を前記支持板で支持させてケース内に収納するように構成されている。
【０００４】
前記先行技術２の証拠物収納器は、証拠物を支持する少なくとも２つの段ボール製の支持パットと、前記支持パットを水平方向に移動可能に支持するための段ボール製の土台パットと、前記支持パットを支持させた状態で前記土台パットを収容するための開閉蓋部を有する段ボール製のケースとを備える。そして、証拠物を前記支持パットで支持させてケース内に収納するように構成されている。
【先行技術文献】
【特許文献】
【０００５】
【特許文献１】実用新案登録第３１５４６６３号公報
【考案の概要】
【考案が解決しようとする課題】
【０００６】
前記先行技術１及び２の収納器によれば、それぞれの特性を有する証拠物収納器を得ることができる。
【０００７】
ところで、例えば殺人事件や傷害事件等の犯罪事件を捜査する場合、採取した包丁やナイフ等の証拠品（証拠物品）をDNA鑑定等に供される場合が多くある。証拠品をDNA鑑定する場合、証拠品が汚染されていると、正確な鑑定が出来ないことが生じるおそれがある。したがって、採取した証拠品（物品）は、汚染することなく収納して移送及び保管することが肝要である。
【０００８】
しかしながら、前記先行技術１のプラスチック製の証拠物収納器及び同２の段ボール製の証拠物収納器は、いずれも上述した実情について考慮がなされていない点において問題を有している。
【０００９】
本考案は、上記したような実情に鑑みてなされたもので、犯行現場やその他の場所から採取した包丁やナイフ、或いは拳銃その他の証拠品（証拠物品）を汚染することなく収納して保管及び移送することができる証拠品収納保管箱を提供することを目的とするものである。
【課題を解決するための手段】
【００１０】
上記目的を達成するため、本考案のうち、１つの考案（第１の考案）は、包丁や拳銃その他の証拠品を収納して保管及び移送するための、使い捨ての証拠品収納保管箱であって、
ピュアパルプ製の紙材で構成され、前後に対向する前壁及び後壁と、左右に対向する一対の側壁とを有する四角形断面の筒状本体と、当該本体の下端を閉塞する底壁部と、前記本体の上端を開閉する開閉蓋部とを有し、扁平状に折り畳み可能に形成した組立式収納箱と、
ピュアパルプ製の紙材で構成され、前記収納保管箱を使用する際に、前記組立式収納箱の前記本体内に中仕切状に配置して設け、前記証拠品を支持する少なくとも２つの支持用パネルとを備え、
前記組立式収納箱は、扁平状に折り畳んだ状態で前記支持用パネルと一緒にビニールその他のプラスチック袋内に封入されていると共にγ線の照射その他の滅菌手段で滅菌処理されていることを特徴とする。
【００１１】
上記のように構成すると、組立式収納箱及び各支持パネルは、ピュアパルプ製の紙材で構成され、ビニールその他のプラスチック袋内に封入されていると共にγ線の照射等により滅菌処理されて保管されている。そして、所要時に袋を開封して収納箱を組み立て使用するものである。そして、証拠品（証拠物品）を前記滅菌処理した支持パネルで支持して滅菌処理した収納箱に収納するものである。したがって、証拠品を汚染することなく収納して保管及び移送することができる。
【００１２】
また、証拠品が前記収納箱及び支持用パネルに接触しても、前記収納箱及び支持用パネルは上記したようにピュアパルプ製の紙材で構成されていると共に滅菌処理されているので、汚染するのを防止できる。したがって、証拠品をDNA鑑定する場合においても正確な鑑定を実施することができる。
【００１３】
本考案の他の１つの考案（第２の考案）は、第１の考案の証拠品収納保管箱において、前記組立式収納箱は一枚のピュアパルプ製の紙材で構成され、
前記底壁部は、前記前壁の下縁から折り線を介して連設した底壁片と、前記後壁の下縁から折り線を介して連設した底壁片と、前記一対の側壁のうち、一方の側壁の下縁から折り線を介して連設され、前記両底壁片のうち、一方の底壁片の側端部に接着される連結片と、他方の前記側壁の下縁から折り線を介して連設され、他方の前記底壁片の側端部に接着される連結片とを含んで構成され、
前記開閉蓋部は、前記前壁の上縁から折り線を介して連設した蓋片と、前記後壁の上縁から折り線を介して連設した蓋片とを含んで構成されていることを特徴とする。
【００１４】
本考案のさらに他の１つの考案（第３の考案）は、第１及び第２の考案の証拠品収納保管箱において、ピュアパルプ製の紙材で構成され、前記組立式収納箱の前記本体内の底部に敷設する中敷き用パネルをさらに備え、
前記中敷き用パネルは、前記組立式収納箱及び前記各支持用パネルと一緒に前記プラスチック袋内に封入されていると共に前記滅菌手段で滅菌処理されていることを特徴とする。
【００１５】
本考案のさらに他の１つの考案（第４の考案）は、第１ないし第３のいずれかの証拠品収納保管箱において、前記一方の蓋片の端縁から折り線を介して連設した提げ手片と、前記他方の蓋片の端縁から折り線を介して連設した提げ手片とを有し、前記両提げ手片同士を合掌させるように重合して形成される提手部と、
前記一対の側壁の上縁からそれぞれ折り線を介して連設され、前記両提げ手片同士を合重させた状態で前記両提げ手片の両端部側の上端部に設けた係合切欠部に係合させて前記両提げ手片同士の重合状態を解除自在に係止して保持させる係止用突片をさらに備えていることを特徴とする。
【考案の効果】
【００１６】
本考案によれば、次のような作用効果を奏する。
（１）組立式収納箱及び各支持用パネルはピュアパルプ製の紙材で構成されγ線の照射等により滅菌処理され、証拠品を支持用パネルで支持させて前記収納箱に収納するものである。したがって、例えば犯行現場やその他の場所で採取した包丁やナイフ、或いは拳銃その他の証拠品（証拠物品）を汚染することなく収納して保管及び移送することができる。
（２）証拠品が前記収納箱や支持用パネルに接触しても、前記収納箱及び支持用パネルは、上記したようにピュアパルプ製の紙材で構成されていると共に滅菌処理されているので、汚染するのを防止できる。したがって、証拠品をDNA鑑定する場合においても正確な鑑定を実施することができる。
（３）第３の考案によれば、上記諸効果に加え、前記組立式収納箱の底壁部を補強して強化することができる。
（４）第４の考案によれば、上記諸効果に加え、収納保管箱の持ち運び作業が容易になる。また、開閉蓋部の閉蓋状態を良好に保持することができる。
【図面の簡単な説明】
【００１７】
【図１】本考案の一実施形態の証拠品収納保管箱を組立てた状態の構成を概略的に示す説明斜視図である。
【図２】同じく説明正面図である。
【図３】同じく説明平面図である。
【図４】同じく説明底面図である。
【図５】図２のＡ−Ａ線説明断面図である。
【図６】図２のＢ−Ｂ線説明断面図である。
【図７】図２のＢ−Ｂ線で切断し、開閉蓋部を開蓋した状態の構成を概略的に示す説明断面図である。
【図８】組立式収納箱を内側面から見た説明展開図である。
【図９】前記組立式収納箱を扁平状に折り畳んだ状態で各支持用パネルと一緒にビニールその他のプラスチック袋内に封入した状態の構成を一方の面から見た説明図（ａ）と他方の面から見た説明図（ｂ）及び説明平面図（ｃ）である。
【図１０】図１に示す証拠品収納保管箱に採用した一実施形態の中敷き用パネルの構成を概略的に示す図であって、同図（ａ）は説明正面図、同図（ｂ）は説明平面図、同図（ｃ）は説明背面図である。
【図１１】図１に示す証拠品収納保管箱に採用した１つの支持用パネルの構成を概略的に示す図であって、同図（ａ）は説明正面図、同図（ｂ）は説明平面図である。
【図１２】同じく他の１つの支持用パネルの構成を概略的に示す図であって、同図（ａ）は説明正面図、同図（ｂ）は説明平面図である。
【図１３】図１３（ａ）、（ｂ）は使用状態の一例を示す説明図である。
【考案を実施するための形態】
【００１８】
以下、図面を参照して本考案の実施形態の一例について説明する。
【００１９】
図１ないし図１３は本考案の証拠品収納保管箱を示す。
【００２０】
本実施形態の証拠品収納保管箱は、例えば殺人や傷害事件その他の犯罪事件において、犯行現場やその他の場所から採取した包丁やナイフ、或いは拳銃その他の証拠品（証拠物品）を収納して保管及び移送するために使用する使い捨ての証拠品収納保管箱である。
【００２１】
図１ないし図１３に示すように、本実施形態の証拠品収納保管箱１００は、扁平状の折り畳み可能に形成した組立式収納箱１と、所望数の支持用パネル２Ａ，２Ｂ，２Ｃと、中敷き用パネル３とを備える。
【００２２】
前記収納箱１、支持用パネル２Ａ、２Ｂ、２Ｃ、及び中敷き用パネル３はピュアパルプ（パルプ１００％）製の紙材で構成されている。
【００２３】
前記収納保管箱１００は、前記収納箱１を扁平状に折り畳んだ状態で各支持用パネル２Ａ、２Ｂ、２Ｃ及び中敷き用パネル３と一緒にビニールその他プラスチック袋内４（図９参照）に封入すると共にγ線の照射その他の滅菌手段で滅菌処理されている。そして、所要時に袋４を開封して袋４から取り出して使用される。
【００２４】
前記組立式収納箱１は、前後に対向する前壁１０ａ及び後壁１０ｂと、左右に対向する一対の側壁１０ｃ及び１０ｄとを有する所望の大きさの四角形断面の筒状本体１０と、本体１０の下端を閉塞する底壁部１１と、本体１０の上端を開閉する開閉蓋部１２とを備える。
【００２５】
また、本実施形態の組立式収納箱１は、前記開閉蓋部１２の端縁から連続して延設した提手部１３と、前記一対の両側壁１０ｃ及び１０ｄの上縁に連設した係止用突片１４Ａ，１４Ｂとを備える。
【００２６】
本実施形態の組立式収納箱１は、所望の厚さ、例えば約０．３〜約０．５ｍｍ程度の厚さの一枚のピュアパルプ製の紙材２００（ブランク）で形成されている。なお、紙材２００の厚さは上記範囲内に限定するものではない。以下、組立式収納箱のさらに詳細な構成及び製造方法等について図８等を参照して説明する。
【００２７】
組立式収納箱１は、上述したとおり、所望の大きさの四角形断面に形成され、この収納箱１に底壁部１１及び開閉蓋部１２等を具備して構成される。本実施形態の収納箱１は、横幅：約３５．５ｃｍ、前後幅：約１３ｃｍ、高さ：約１７．５ｃｍの長方形の箱形に形成されている。なお、収納箱１の大きさは上記しに限定するものではなく、所望に応じて任意に変更可能なものである。
【００２８】
図８は、前記組立式収納箱１の展開図である。収納箱１を形成する紙材２００は、所望の寸法及び形状に打抜き加工等で形成されている。
【００２９】
図８には、紙材２００の中央部で筒状本体１０、下端部側に底壁部１１、上端部側に開閉蓋部１２、提手部１３、及び係止用突片１４Ａ、１４Ｂを形成した例が開示されている。
【００３０】
前記紙材の所定の部位に所定の幅で上端から下端に掛けて所定の幅で折り線１５ａ、１５ｂ、１５ｃを施して、前後に対向する前壁１０ａ及び後壁１０ｂと、左右に対向する一対の側壁１０ｃ、１０ｄを形成する。また、本実施形態では、後壁１０ｂの端縁に折り線１５ｄを介して連設した接着片１０ｅを備える。
【００３１】
そして、一方の側壁１０ｄと前壁１０ａ及び後壁１０ｂを前記各折り線１５ａ、１５ｂ、１５ｃに沿って、それぞれ内側へ略直角に折り曲げると共に、折り線１５ｄに沿って接着片１０ｅを折り線１５ｄに沿って内側へ略直角に折り曲げ、接着片１０ｅを一方の側壁１０ｄの内側面に接着する。これにより、二本の折り線に沿って扁平状に折り畳み可能な四角形断面の筒状本体１０が形成される。
【００３２】
前記底壁部１１は、前壁１０ａの下縁から折り線１６ａを介して連設した底壁片１１ａと、後壁１０ｂの下縁から折り線１６ｂを介して連設した底壁片１１ｂと、一方の側壁１０ｃの下縁から折り線１６ｃを介して連設され、一方の底壁片１１ｂの側端部に接着される連結片１１ｃと、他方の側壁１０ｄの下縁から折り線１６ｄを介して連設され、他方の底壁片１１ａの側端部に接着される連結片１１ｄとを備えて構成されている。
【００３３】
両底壁片１１ａ、１１ｂの一方の片側半部（図８において右側半部）は、両底壁片１１ａ、１１ｂの幅（図８において上下方向の幅）より長尺幅に形成し、該部分で係合片１１ａ−１、１１ｂ−１が形成されている。また、両底壁片１１ａ、１１ｂの他方の側端部には、前記連結片１１ｃ及び１１ｄとそれぞれ接着する接着部１１ａ−２、１１ｂ−２が形成されている。
【００３４】
両底壁片１１ａ、１１ｂの前記接着部及び係合片間の幅の寸法は、前壁１０ａ及び後壁１０ｂ間の幅、即ち、筒状本体１０の前後幅の寸法の１／２の幅の寸法に形成されている。
【００３５】
前記両底壁片１１ａ、１１ｂの両接着部１１ａ−２、１１ｂ−２には、隣接する側壁１０ｄ及び１０ｃの下端角度と両底壁部１１ａ、１１ｂの下端に掛けて斜め方向に向けて形成し、両接着部を両底壁片１１ａ、１１ｂに重合させるように折り曲げ可能に形成するための折り線１１ｅ、１１ｆが施されている。
【００３６】
底壁部１１は上記構成を具備している。そして、一方の側壁１０ｄと底壁片１１ａ及び連結片１１ｄをそれぞれの折り線に沿って直角に折り曲げて一方の接着部１１ａ−２を連結片１１ｄの外側面の適当の部位に接着する。また、他方の側壁１０ｃと底壁片１１ｂ及び連結片１１ｃをそれぞれの折り線に沿って直角に折り曲げて他方の接着部１１ｂ−２を連結片１１ｃの外側面の適当の部位に接着する。さらにまた、一方の係合片１１ａ−１を底壁片１１ｂに係合させると共に他方の係合片１１ｂ−１を底壁片１１ａに係合する。これにより、図４等に示すように、筒状本体１０の下端を閉塞し、かつ、前記折り線１１ｅ、１１ｆに沿って筒状本体１０と同調して扁平状に折り畳み可能に形成した底壁部１１が構成されている。
【００３７】
前記開閉蓋部１２は、前壁１０ａの上縁から折り線１７ａを介して連設した蓋片１２ａと、後壁１０ｂの上縁から折り線１７ｂを介して連設した蓋片１２ｂとを備えて構成されている。
【００３８】
本実施形態の両蓋片１２ａ、１２ｂの幅（図８において上下方向の幅）は、前壁１０ａと後壁１０ｂとの間の幅、即ち、筒状本体１０の前後幅の１／２の幅の寸法に形成されている。そして、本実施形態の開閉蓋部１２には、両蓋片１２ａ及び１２ｂを折り線１７ａ及び１７ｂに沿って起伏することにより、筒状本体１０の上端を開閉するように構成されている。
【００３９】
前記提手部１３は、一方の蓋片１２ａの端線から折り線１７ｃを介して連設した提げ手片１３ａと、他方の蓋片１２ｂの端縁から折り線１７ｄを介して連設した提げ手片１３ｂとを備える。そして、提手部１３は、両提げ手片１３ａ、１３ｂ同士を折り線に沿わせて合掌させるように折り曲げて合重して形成するように構成されている。
【００４０】
本実施形態の提手部１３の一方の提げ手片１３ａの中央部には、提げ手片１３ａと蓋片１２ａとの間の折り線１７ｃを両端とする門形状の切込線１７ｅが設けられ、切込線１７ｅで囲まれた部位で蓋片１２ａの上面に重合する押え片１７ｆが形成されている。また、図１等に示すように、切込線で囲まれた部位で提げ手孔１７ｇを形成するように構成してある。
【００４１】
前記提手部１３の他方の提げ手片１３ｂの中央部には、蓋片１２ｂの端縁（折り線１７ｄの延長線上）を底辺とする凹形状の切抜孔１７ｈが形成されている。切抜孔１７ｈの上端間に折り線１７ｉが形成され、前記折り線１７ｉを介して提げ手片１３ｂから延びる折曲片１７ｊが連設されている。前記折曲片１７ｊを折り線１７ｉに沿って折り曲げることにより、前記切抜孔１７ｈにより、前記提げ手孔１７ｇと共通する提げ手孔が形成されるように構成してある。
【００４２】
前記両提げ手片１３ａ及び１３ｂの両側端部の両側部の上端には、両係止用突片１４Ａ及び１４Ｂと係合する係合切欠部１７ｋ、１７ｌ、１７ｍ、１７ｎが形成され、両提げ片の両端には係止用突部１７ｏ、１７ｐ，１７ｑ、１７ｒが形成されている。
【００４３】
前記一方の係止用突片１４Ａは、一方の側壁１０ｃの上縁から折り線１４ａを介して連設した略半円形状の突片で形成されている。また、他方の係止用突片１４Ｂは、他方の側壁１０ｄの上縁から折り線１４ｂを介して連設した略半円形の突片で形成されている。
【００４４】
前記両係止用突片１４Ａ、１４Ｂの幅方向の中央部には両提げ手片１３ａ、１３ｂを重合させた状態で、両提げ手片を係入する縦一文字状に形成した係合孔１４ｃ、１４ｄが形成されている。これにより、図１等に示すように、両蓋片１２ａ１２ｂを倒伏して筒状本体の上端を閉蓋し、両提げ手片１３ａ、１３ｂ同士を合掌させるように重合させた状態で、両係止用突片を、提げ手部１３の係止用突部１７ｏ、１７ｒ及び１７ｐ、１７ｑが両係合孔１４ａ、１４ｂを貫通させるように斜めに倒伏させて、両係止用突片１４Ａ、１４Ｂの上端部を提げ手片１３ａ、１３ｂの前記係合切欠部に係合させることにより、提げ手片同士の合掌状態及び開閉蓋部１２の閉蓋状態が解除自在に係止して保持されるように構成されている。
【００４５】
本実施形態の組立式収納箱１は上記のように構成され、図９に示すように、前記収納箱１を扁平状に折り畳んでビニールその他のプラスチック袋４内に封入すると共にγ線を照射する等により滅菌（本実施形態ではγ線を照射）されている。そして、使用する際に前記袋４を開封して袋から取り出して使用される。この点については、追ってさらに説明する。
【００４６】
前記中敷き用パネル３は、証拠品収納保管箱１００を使用する際に組立式収納箱１の前記本体１０内の底部に敷設するものである。
【００４７】
中敷き用パネル３は、図９等に示すように、所望の厚さ、例えば約０．３〜約０．５ｍｍ程度（但し、上記範囲内に限定するものではない）の厚さ、かつ、前記本体１０の底部と対応する大きさのピュアパルプ製の紙材３０で形成されている。
【００４８】
前記パネル３は、前記本体１０内の底部に粘着ないし接着して敷設するように構成されている。
【００４９】
本実施形態の中敷き用パネル３は、図１０（ｃ）に示すように、パネル３の一方の面に、紙材３０の一端から他端に掛けて接着して設けた所望幅の二枚の両面粘着テープ３１、３１を備える。両テープ３１の表面には剥離テープ３２、３２が添装されている。前記剥離テープは、前記パネル３を敷設する際に剥離する。
【００５０】
前記中敷き用パネル３は上記のように構成され、収納保管箱を使用する際に、前記収納箱１の前記本体内の底部に粘着（接着）して敷設される。これにより、前記収納箱１の底壁部１１は補強して強化される。
【００５１】
前記支持用パネル２Ａ、２Ｂ、２Ｃは、証拠品収納保管箱１００を使用する際に、組立式収納箱１の前記本体１０内に中仕切状に配置して設け、収納箱１に収納する証拠品を支持するためのものである。
【００５２】
前記支持用パネルは２つ以上所望数設ける。本実施形態では、図５等に示すように、３つ（３枚）の支持用パネル２Ａ、２Ｂ、２Ｃを設けた例が開示されている。前記支持用パネルの数量は所望に応じ増量可能である。
【００５３】
前記支持用パネル２Ａ、２Ｂ、２Ｃは、所望の厚さ、例えば約０．３〜約０．５ｍｍ程度（但し、上記範囲内に限定するものではない）の肉厚のピュアパルプ製の紙材２０で形成されている。
【００５４】
本実施形態の各支持用パネルは、包丁５やナイフ等の刃物、或いは拳銃６等の証拠品の支持用に構成されている。
【００５５】
本実施形態の各支持用パネル２Ａ、２Ｂ、２Ｃは、図５、図１１、図１２等に示すように、筒状本体１０の前壁１０ａの内壁面と後壁１０ｂの内壁面との間の寸法と略同一寸法の横幅、かつ、前記本体１０内の高さより幾分短尺の大きさの四角形に形成した支持部２１と、支持部２１の両側縁から折り線２２ａ、２２ｂを介して折曲自在に連設した接着片２３ａ、２３ｂとを備える。
【００５６】
前記各支持用パネルの両接着片２３ａ、２３ｂの一方の面には、接着片の上端から下端に掛けて接着して設けた所望幅の両面粘着テープ２４、２４を備える。前記両粘着テープ２４の表面には剥離テープ２５が添装されている。前記両剥離テープ２５は、各支持用パネルを使用する際に剥離する。
【００５７】
前記支持パネルのうち、支持用パネル２Ａは、証拠品が包丁５やナイフ等の刃物の場合には、刃先部ないし刃先部付近を、また、証拠品が拳銃６の場合には、銃口付近を支持するために構成されている。支持用パネル２Ｂ、２Ｃは、証拠品が刃物の場合には、柄部の前端付近及び柄部を、また、証拠品が拳銃の場合には、銃口とトリガー・ガード（用心鉄）との間の中間部及びトリガー・ガード又はトリガー・ガードから銃杷にかける部位を支持するために構成されている。
【００５８】
本実施形態の支持用パネル２Ａは、図１１に示すように、パネルの支持部２１の中央部に、支持部２１の上端から下端方向に向けて形成した所望の幅及び長さの長方形状の切欠部２６と、切欠部２６の下端に延設した所望長さの幅狭の切欠部２６ａとを備えて構成されている。
【００５９】
本実施形態の支持用パネル２Ｂと２Ｃは同一に構成されている。そのため、一方の支持用パネル２Ｂについて、その構成を説明する。
【００６０】
図１２に示すように、本実施形態の支持用パネル２Ｂは、パネルの支持部２１の中央部に、支持部２１の上端から下端方向に向けて平行に設けた所望の幅（図示では切欠部２６の幅と略同一幅）、かつ、所定の長さの２本のミシン目状の切り取り用の線２７ａ、２７ｂと、両線２７ａ、２７ｂの下端間、及び両線２７ａ、２７ｂ間の中間部に所望の間隔で平行に設けたミシン目状の切り取り用の線２７ｃ、２７ｄ、２７ｅ、２７ｆを備えて構成されている。
【００６１】
本実施形態の支持用パネル２Ｂは、前記ミシン目状の切り取り用の線により、支持部２１の中央部に切り取り片２８が形成されている。支持用パネル２Ｂは、収納する証拠品、例えば、包丁５の柄部や拳銃６のサイズ等に応じて、前記切り取り片２８を切り取って使用するものである。なお、上述したように、支持用パネル２Ｃは支持用パネル２Ｂと同一に構成されている。
【００６２】
本実施形態の組立式収納箱１と、前記各支持用パネル２Ａ、２Ｂ、２Ｃ、及び前記中敷き用パネル３は上記構成を具備している。そして、証拠品収納保管箱１００は、図９に示すように、前記組立式収納箱１を扁平状に折り畳んだ状態で前記各支持用パネル及び中敷き用パネルと一緒にビニール（ポリ塩化ビニル）その他のプラスチック袋４内に封入すると共にγ線の照射その他の滅菌手段（本実施形態ではγ線を照射）で滅菌処理して構成されている。
【００６３】
証拠品収納保管箱１００は上記した状態で保管及び運搬される。そして、使用する際に袋４を開封して前記収納箱１、支持用パネル２Ａ、２Ｂ、２Ｃ、及び中敷き用パネル３を袋から取り出し、収納箱１を組み立てると共に中敷き用パネル３を筒状本体１０の底部に接着して敷設する。また、各支持用パネル２Ａ、２Ｂ、２Ｃを筒状本体内に証拠品の種類や大きさ等に応じて所望の間隔で中仕切状に配置し、各支持用パネルの接着片２３ａ、２３ｂを前壁１０ａ及び後壁１０ｂの内壁面に接着して固定して設ける。
【００６４】
そして、証拠品が例えば包丁５の場合には、例えば図１３（ａ）に示すように、支持用パネル２Ａで刃先部付近を支持させ、支持用パネル２Ｂで柄部の先端付近を支持させ、また、支持用パネル２Ｃで柄部を支持させて収納箱１の箱状本体１０内に収納する。そして、開閉蓋部１２の両蓋片１２ａ、１２ｂを倒伏して筒状本体１０の上端を閉蓋すると共に提手部の両提げ手片１３ａ、１３ｂを合掌させるように重合し、両係合用突片１４Ａ、１４Ｂを上述したように傾倒して両提げ手片」の係合切欠部に係合する。そして、上記状態で移送すると共に保管するように構成されている。
【００６５】
また、証拠品が拳銃６の場合には、図１３（ｂ）に示すように、支持用パネル２Ａで銃口付近を支持させ、支持用パネル２Ｂで銃口とトリガー・ガードとの中間部分を支持させ、また、支持用パネル２Ｃでトリガー・ガード又はトリガー・ガードから銃杷にかける部位を支持させて収納箱１の筒状本体１０内に収納する。そして、上記と同様に、開閉蓋部１２の両蓋片１２ａ、１２ｂを倒伏して筒状本体１０の上端を閉蓋すると共に提手部の両提げ手片１３ａ、１３ｂを合掌させるように重合し、両係合用突片１４Ａ、１４Ｂを上述したように傾倒して両提げ手片」の係合切欠部に係合する。そして、上記状態で移送すると共に保管するように構成されている。
【００６６】
なお、本実施形態の組立式収納箱の底壁部及び開閉蓋部等の構成は一倒として開示したもので、本実施形態以外の任意の構成に任意に変更可能なものである。
【００６７】
また、前記支持用パネルの構成についても上記実施形態以外の任意の構成に変更したものを採用することができる。
【００６８】
さらにまた、上記した実施形態は一例として開示したもので、本考案は上記の実施形態に限定されるものではなく、実用新案登録請求の範囲に記載の技術思想を越脱しない範囲において任意に変更可能なものである。
【符号の説明】
【００６９】
１      組立式収納箱
２Ａ、２Ｂ、２Ｃ、    支持用パネル
３      中敷き用パネル
４      プラスチック袋
１０    筒状本体
１１    底壁部
１２    開閉蓋部
１３    提手部
１４Ａ、１４Ｂ    係止用突片
【図１】
0003214440.tif 000003
【図２】
0003214440.tif 000004
【図３】
0003214440.tif 000005
【図４】
0003214440.tif 000006
【図５】
0003214440.tif 000007
【図６】
0003214440.tif 000008
【図７】
0003214440.tif 000009
【図８】
0003214440.tif 000010
【図９】
0003214440.tif 000011
【図１０】
0003214440.tif 000012
【図１１】
0003214440.tif 000013
【図１２】
0003214440.tif 000014
【図１３】
0003214440.tif 000015
【手続補正書】
【提出日】平成29年11月15日(2017.11.15)
【手続補正１】
【補正対象書類名】実用新案登録請求の範囲
【補正対象項目名】請求項４
【補正方法】変更
【補正の内容】
【請求項４】
前記前壁の上縁から折り線を介して連設した蓋片の端縁から折り線を介して連設した提げ手片と、前記後壁の上縁から折り線を介して連設した蓋片の端縁から折り線を介して連設した提げ手片とを有し、前記両提げ手片同士を合掌させるように重合して形成される提手部と、
前記一対の側壁の上縁からそれぞれ折り線を介して連設され、前記両提げ手片同士を合重させた状態で前記両提げ手片の両端部側の上端部に設けた係合切欠部に係合させて前記両提げ手片同士の重合状態を解除自在に係止して保持させる係止用突片をさらに備えていることを特徴とする請求項１又は２に記載の証拠品収納保管箱。